(57)【要約】【課題】靴内での蒸れを軽減することができると共に、つま先部分への負担を軽減することができ、且つかかとへの衝撃の少ない靴中敷きを提供する。【解決手段】靴中敷き１が、足裏に接触し、少なくとも、内側足根小球２４が接触する前方部分において通気性を有する表面外装材２と、表面外装材２の裏面に沿うように配された柔軟性を有するクッション材３と、クッション材３における前記前方部分の少なくとも内側足根小球２４が着座する部分に島状に配された通気性を有する素材４と、を少なくとも備え、足裏が着座した際に、通気性を有する素材４が配された島状部分４ａが、島状部分４ａの周囲よりも上方へ隆起した状態となる。【選択図】図１
2012050720.tif 000002
【特許請求の範囲】
【請求項１】
足裏に接触し、少なくとも、内側足根小球が接触する前方部分において通気性を有する表面外装材と、
該表面外装材の裏面に沿うように配された柔軟性を有するクッション材と、
該クッション材における前記前方部分の少なくとも前記内側足根小球が着座する部分に島状に配された通気性を有する素材と、
を少なくとも備え、
足裏が着座した際に、前記通気性を有する素材が配された島状部分が、該島状部分の周囲よりも上方へ隆起した状態となることを特徴とする靴中敷き。
【請求項２】
前記クッション材の少なくとも前記内側足根小球が着座する部分を刳り抜いて、該刳り抜き孔内に前記通気性を有する素材を配したことを特徴とする請求項１に記載の靴中敷き。
【請求項３】
前記表面外装材のうち、前記通気性を有する部分はメッシュ素材により形成され、少なくとも前記通気性を有する素材を覆っていることを特徴とする請求項１または２に記載の靴中敷き。
【請求項４】
前記通気性を有する素材は、糸瓜繊維シートであることを特徴とする請求項１から３のいずれか１項に記載の靴中敷き。
【発明の詳細な説明】
【技術分野】
【０００１】
本発明は、靴の中底に装着する中敷きに係り、詳しくは、ヒールの高さがある婦人靴に好適な靴中敷きに関する。
【背景技術】
【０００２】
靴中敷きは、多湿による足の蒸れ防止や消臭などの目的で、靴の中底上に装着される。脱臭剤及び通気性シートを利用した技術としては、例えば、表面層と、吸着系脱臭剤を通気性シートに担持した中間層と、クッション層とを備えたラミネートシートであって、中間層の通気性シートに光触媒を含有する靴用中敷きシートが提案されている（特許文献１参照）。
【０００３】
近年、中敷きを構成する材質として、通気性が良く、吸放湿性に優れた天然素材が注目されている。天然素材を利用した技術としては、例えば、天然素材である藁、いぐさ等、独自に持っている特性、すなわち吸放湿性、保温性、消臭性、抗菌性を活用し足を快適に保持し、環境にも優しい中敷が提案されている（特許文献２参照）。
【０００４】
また、中敷きを糸瓜（へちま）繊維で形成し、糸瓜繊維に水虫治薬を組みこみ水虫を予防および乾燥治療、靴内の殺菌と防臭を行う中敷きが提案されている（特許文献３参照）。
【先行技術文献】
【特許文献】
【０００５】
【特許文献１】特開２００７−１３６０３３号公報
【特許文献２】登録実用新案第３０７８７８３号
【特許文献３】登録実用新案第３０４０８１７号
【発明の概要】
【発明が解決しようとする課題】
【０００６】
ところで、特許文献１から３の技術は靴中敷き全般を対象としたものであり、婦人靴に特有の不具合を解消することはできなかった。即ち、婦人靴は、女性らしさやデザイン性を追求するために、先端部分の靴幅が細く設計されているものが多い。特に、パンプスのような婦人靴では、ヒールの高さがあり、中底が前方へ向けて傾斜しているため、靴内で足先が先端側へずれ易い。したがって、靴内で足指がボックストウの内側面から圧迫されて窮屈になり易く、特に外反母趾や巻き爪などの症状がある女性とって、つま先部分の負担が大きかった。
【０００７】
また人間は、足裏の前方部分で発汗し易く、後方部分での発汗は少ない。それにもかかわらず、婦人靴はボックストウの部分が先細りして窮屈であるため通気性に劣り、足蒸れが生じ易かった。
【０００８】
さらに、藁や糸瓜等の天然素材はスポンジ等のクッション材に比して柔軟性に劣るため、中敷き全体に配すると、かかとへの衝撃が大きかった。
【０００９】
そこで本発明の目的は、靴内での蒸れを軽減することができると共に、つま先部分への負担を軽減することができ、且つかかとへの衝撃が少ない靴中敷きを提供することにある。
【課題を解決するための手段】
【００１０】
上記の目的を達成すべく成された本発明の構成は以下の通りである。
【００１１】
即ち、本発明に係る靴中敷きは、足裏に接触し、少なくとも、内側足根小球が接触する前方部分において通気性を有する表面外装材と、
該表面外装材の裏面に沿うように配された柔軟性を有するクッション材と、
該クッション材における上記前方部分の少なくとも上記内側足根小球が着座する部分に島状に配された通気性を有する素材と、
を少なくとも備え、
足裏が着座した際に、上記通気性を有する素材が配された島状部分が、該島状部分の周囲よりも上方へ隆起した状態となることを特徴とする靴中敷きである。
【００１２】
上記靴中敷きの構成において、上記クッション材の少なくとも上記内側足根小球が着座する部分を刳り抜いて、該刳り抜き孔内に上記通気性を有する素材を配することが好ましい。
【００１３】
また、上記表面外装材のうち、上記通気性を有する部分はメッシュ素材により形成され、少なくとも上記通気性を有する素材を覆っていることが好ましい。
【００１４】
さらに、上記通気性を有する素材は糸瓜繊維シートであることが好ましい。
【発明の効果】
【００１５】
本発明によれば、足裏において発汗量の多い前方部分において通気性を有する表面外装材を備え、少なくとも内側足根小球が着座する部分に通気性を有する天然繊維素材を配しているので、靴内での蒸れを軽減することができる。
【００１６】
また、足裏が着座した際に、天然繊維素材等の通気性を有する素材が配された島状部分が、その周囲よりも上方へ隆起した状態となるので、足裏の内側足根小球に隆起した島状部分が当たり、裏内庭を下方から支持して足先を若干上方へ湾曲させるような状態となる。その結果、つま先部分の足幅が減少した状態となり、トウボックスの側内面と足指との間に余裕ができ、つま先部分の負担を軽減することができる。
【００１７】
さらに、中敷きの後方部分はクッション材で構成されているので、天然繊維素材を中敷きの全体に配する場合に比して、かかとへの衝撃が少ないという優れた効果を発揮する。
【図面の簡単な説明】
【００１８】
【図１】本発明に係る靴中敷きの一実施形態を示す表面図である。
【図２】本実施形態の靴中敷きの内部構造を示す裏面図である。
【図３】図１のＡ−Ａ間の概略断面図である。
【図４】本実施形態の靴中敷きを示す裏面図である。
【図５】足裏の各部位を説明するための概略図である。
【図６】図１のＡ−Ａ間の概略断面図である。
【発明を実施するための形態】
【００１９】
以下、図面を参照して、本発明の実施の形態を説明するが、本発明はこれらの実施形態に限定されない。なお、本明細書で特に図示または記載されない部分に関しては、当該技術分野の周知または公知技術を適用する。
【００２０】
図１から図５を参照して、本発明に係る靴の中敷きの一実施形態について説明する。図１は、本発明に係る靴中敷きの一実施形態を示す表面図である。図２は、本実施形態の靴中敷きの内部構造を示す裏面図である。図３は、図１のＡ−Ａ間の概略断面図であり、（ａ）は通常の状態を示す図、（ｂ）は足裏が着座した状態を示す図である。図４は、本実施形態の靴中敷きを示す裏面図である。図５は、右足裏の各部位を説明するための概略図である。なお図１から図４では、右足用中敷きについてのみ図示しており、左足用中敷きについては図示を省略している。
【００２１】
図１及び図２に示すように、本実施形態の靴中敷き１は、足裏２１に接触する表面外装材２と、柔軟性を有するクッション材３と、通気性を有する素材４と、を少なくとも備えている。
【００２２】
表面外装材２は、足裏２１に直接接触するため肌触り及び撥水性が良く、外観を構成するため装飾性に富んだものが好ましい。表面外装材２としては、例えば、天然皮革、人造皮革（人工皮革、合成皮革）、メッシュ（網目）素材、撥水加工を施した布地などが挙げられる。ここで人工皮革とは、不織布（ランダム三次元立体構造を有する繊維層）の基材上に、ポリウレタン等を含浸させたものをいう。また合成皮革とは、編物基材上にポリウレタン等を含浸させたものをいう。
【００２３】
本実施形態の表面外装材２では、図１に示すように、かかと２２や土踏まず２３を含む足裏２１の後方部分は合成皮革２ａにより形成され、足指や内側足根小球（中足骨部分）２４が接触する足裏２１の前方部分は通気性を有する合成樹脂製メッシュ素材２ｂにより形成されている。このように足裏の少なくとも前方部分にメッシュ素材２ｂを配置しているのは、人間の足裏２１の後方部分は前方部分よりも発汗量が少なく、発汗量の多い前方部分に通気性をもたせるためである。なお、本実施形態の表面外装材２は、合成皮革２ａと合成樹脂製メッシュ素材２ｂとを組み合わせているが、これに限定されず、例えば、表面外装材２の全体を一枚の天然皮革や合成皮革、人工皮革等で形成し、その前方部分のみに、もしくは全体に亘って散点状に通気孔を開口しても構わない。
【００２４】
クッション材３は、図２に示すように表面外装材２の裏面に沿うように配されている。柔軟性のあるクッション材３としては、例えば、ポリウレタンスポンジやポリエチレンスポンジ、ゴムスポンジなどの発泡材が挙げられる。クッション材３を表面外装材２の裏面に沿うように配することにより、足裏２１にソフトな感触を与えて履き心地を向上させることができる。したがって、クッション材３の厚みを調整することにより、履き心地を調整することができる。なお、本実施形態では、クッション材３は表面外装材２の裏面に縫いつけられて一体化されているが、これに限定されず、接着剤により接着して一体化してもよい。
【００２５】
通気性を有する素材４は、上記クッション材３における足裏２１の内側足根小球２４が着座する部分に島状に配されている。本実施形態の通気性を有する素材４は、上記クッション材３よりも硬く、好ましくはクッション材３と同等以上の厚みがあり、内側足根小球２４に対して適度な硬さを感じさせるような素材であって、良好な通気性を有する素材、具体的には天然繊維素材を選択する。天然繊維素材４としては、例えば、糸瓜（へちま）繊維や椰子繊維等を足指及び内側足根小球２４が着座する部分の形状に合わせてシート状に成形したものなどが挙げられる。本実施形態では、糸瓜繊維シートを採用している。糸瓜繊維シートは繊維が絡まり合って多孔質であるため、内部に空気層を構成し易く、通気性が良く吸放湿性に優れている。加えて糸瓜繊維は、適度な硬さを有すると共に、足指及び内側足根小球２４が着座する部分の形状に合わせて切り出すだけで容易にシート状に成形することができる。本実施形態では、内側足根小球２４が着座する部分のみならず、足指が着座する部分にも天然繊維素材４を配しているが、内側足根小球２４が着座する部分のみに天然繊維素材４を配する態様も考えられる。
【００２６】
本実施形態の天然繊維素材４は、上記クッション材３の足指及び内側足根小球２４が着座する部分を刳り抜き、この刳り抜き孔５内に収まるように配されている。これに限定されず、内側足根小球２４が着座する部分のみに天然繊維素材４を配する場合には、クッション材３の内側足根小球２４が着座する部分を刳り抜けばよい。
【００２７】
そして、本実施形態では、刳り抜き孔５内において、上記表面外装材２を貫通させて、天然繊維素材４の周囲を縫製しているが、天然繊維素材４の通気性を阻害しなければこれに限定されず、例えば、縫製部位６に相当する部分を接着剤により接着してもよい。ここで、図３（ａ）に示すように、通常は、天然繊維素材４が配された島状部分４ａの高さと、その周囲（クッション部材３）の高さはほぼ同一である。しかし、天然繊維素材４がクッション材３よりも硬いため、足裏が着座した際には、図３（ｂ）に示すように、天然繊維素材４が配された島状部分４ａは、その周囲よりも上方へ隆起した状態となる。なお、天然繊維素材４が配された島状部分が上方へ隆起した状態となることによる作用効果については、後で詳述する。
【００２８】
また、上記クッション材３の裏面の足裏２１の土踏まず２３に相当する部分には、土踏まず２３の形状に合わせて中敷き１の当該部位を上方へ起き上がらせるためのシャンクパッド７が装着されている。このシャンクパッド７は、土踏まず２３の凹形状に対応した凸形状（三日月状の形状）を有し、例えば、低反発ウレタン等の低反発素材により形成されている。クッション材３の裏面の足裏２１の土踏まず２３に相当する部分に低反発素材を装着することにより、土踏まず２３に適度に刺激して履き心地を向上させることができる。さらに、足裏２１の土踏まず２３に凸形状のシャンクパッド７が接触することにより、靴内で足が先端側へずれようとするのを防止することができる。なお、本実施形態では、シャンクパッド７は表面外装材２を貫通させてクッション材３の裏面に縫いつけられて一体化されているが、これに限定されず、クッション材３の裏面に接着剤により接着して一体化してもよい。
【００２９】
シャンクパッド７は、本実施形態の中敷き１の必須構成要素ではなく、靴の中底自体に土踏まず用クッション材が既に装着されている場合には不要である。したがって、本実施形態のように、シャンクパッド７を備える中敷き１と、シャンクパッド７を備えない中敷きとの態様が考えられる。
【００３０】
さらに、図４に示すように、本実施形態の靴中敷き１の裏面全体には、必要に応じて、クッション材３、天然繊維素材４（及びシャンクパッド７）を覆う裏面外装材８が装着される。裏面外装材８としては、例えば、ゴム製のメッシュ素材等の通気性が良く、摩擦力の大きい素材が好ましい。通気性が良好であることにより、靴の中底との間の湿気を逃しやすい。また、摩擦力が大きいことにより、中底上での中敷き１の前ずれを防止することができる。なお、裏面外装材８を装着する場合には、クッション材３を貫通して、表面外装材２と縫製されるが、これに限定されず、クッション材３の裏面に接着剤により接着してもよい。また、上記シャンクパッド７は裏面外装材８の外側に配してもよい。
【００３１】
本実施形態の靴中敷き１は、靴内の中底上に装着して用いられ、特にパンプス等のヒールの高さがある婦人靴用の中敷きとして適した構造を有している。以下に、本実施形態の靴中敷き１の作用効果について説明する。
【００３２】
本実施形態の靴中敷き１は、足裏２１において発汗量の多い足指及び内側足根小球２４が着座する部分に島状に天然繊維素材４を配しており、さらにこの天然繊維素材４の上に通気性の良いメッシュ素材２ｂを配している。したがって、メッシュ素材２ｂを通して、足裏２１の発汗水分を天然繊維素材４の繊維内空間へと容易に移動させることができる。
【００３３】
また本実施形態では、天然繊維素材４として、通気性が良い糸瓜繊維シートを採用している。糸瓜繊維シートは多孔質であるため靴内で空気層を確保することができ、通気性が良く吸放湿性に優れており、靴内での蒸れを軽減することができる。
【００３４】
さらに、足裏２１が靴中敷き１に着座した場合に、糸瓜繊維シートが配された島状部分４ａが、その周囲よりも上方へ隆起した状態となることにより、内側足根小球（中足骨部分）２４に隆起した島状部分４ａが当接する。この島状部分４ａは糸瓜繊維シートで形成されて適度な厚み及び硬さを有するので、足裏２１の内側足根小球２４が厚みのある糸瓜繊維シート上へ載り、内側足根小球２４の裏内庭２５の部分を上方へ支えて、足前方部分が若干上方へ湾曲したような状態となる。その結果、つま先部分の足幅Ｄが減少した状態となり、靴のトウボックスの側内面と足指との間に余裕ができ、簡単な構造でつま先部分への負担を軽減することができる。したがって、外反母趾や巻き爪の症状を有する女性の足先への負担を可及的に和らげて、履き心地を飛躍的に向上させることができる。
【００３５】
そして、中敷き１の後方部分はクッション材３で構成されているので、糸瓜繊維シートを中敷きの全体に配する場合に比して、かかと２２への衝撃の少ない中敷きを提供することができる。
【００３６】
加えて、内側足根小球２４及び足指が着座する前方部分のみがメッシュ素材２ｂにより形成されており、靴内で露出して見える後方部分は天然皮革や合成皮革、人工皮革等により形成されているので、中敷き１を使用していることが判らず、ファッション性に富んでいる。
【００３７】
以上、本発明の好適な実施形態を説明したが、これは本発明の説明のための例示であり、本発明の要旨を逸脱しない範囲で、上記実施形態とは異なる種々の態様で実施することができる。
【００３８】
例えば、本実施形態では、足裏２１において発汗量の多い部分に天然繊維素材４を配しているが、この天然繊維素材４の多孔質部分に活性炭や銅等を分散して、中敷き１に消臭効果をもたせてもよい。さらに、天然繊維素材４に抗菌処理を施して、中敷き１に抗菌・防カビ効果をもたせてもよい。
【００３９】
また、通気性を有する素材４は、クッション材３よりも硬く、好ましくはクッション材３と同等以上の厚みがあり、内側足根小球２４に対して適度な硬さを感じさせるような素材であって、良好な通気性を有する素材であれば天然繊維素材に限定されるものではなく、例えばゴム弾性を有する素材を用いることもできる。ゴム弾性を有する素材としては、例えば天然ゴム、合成ゴム、熱可塑性エラストマー、ラテックス、低反発ウレタン等の低反発素材等を、足指及び内側足根小球２４が着座する部分の形状に合わせてシート状に成形し、その厚さ方向に貫通する通気孔を散点状に開口したものなどが挙げられる。図６は、通気性を有する素材４としてゴム弾性を有する素材４’を用いた場合の、図１のＡ−Ａ間の概略断面図であり、（ａ）は通常の状態を示す図、（ｂ）は足裏が着座した状態を示す図である。一般に、ゴム弾性を有する素材は、糸瓜繊維シート等の天然繊維素材に比べて柔らかい。そのため、足裏が着座した際に、ゴム弾性を有する素材４’が配された島状部分が、その周囲よりも上方へ隆起した状態となる様に（図６（ｂ））、通常状態においても、縫製部位６よりも内側が隆起したシートを用いることが好ましい（図６（ａ））。
【符号の説明】
【００４０】
１    靴中敷き
２    表面外装材
２ａ    合成皮革
２ｂ    メッシュ素材
３    クッション材
４    通気性を有する素材（天然繊維素材）
４ａ    島状部分
４’    ゴム弾性を有する素材
５    刳り抜き孔
６    縫製部位
７    シャンクパッド
８    裏面外装材
【図１】
2012050720.tif 000003
【図２】
2012050720.tif 000004
【図３】
2012050720.tif 000005
【図４】
2012050720.tif 000006
【図５】
2012050720.tif 000007
【図６】
2012050720.tif 000008